(57)【要約】【課題】  受信装置に取り込まれている番組情報だけでなく、将来に送られてくる番組情報を含めてユーザが観たい番組の監視を可能にする。【解決手段】  番組情報受信装置１は、番組情報の中から所望の番組を検索するために必要な検索条件を登録する検索条件登録部１１、番組情報を取得する番組情報取得部１２、新たに取得した番組情報と既存の番組情報とを比較して更新部分を抽出する更新情報抽出部１３、更新部分に対して検索条件に基づく番組情報の検索を行う番組情報検索部１４、番組情報検索手段の検索によって、所望の番組が検索された場合に、当該検索結果を出力する検索結果出力部１５を備えている。【選択図】図１
2005286976.tif 000002
【特許請求の範囲】
【請求項１】
放送番組の番組情報を受信する番組情報受信装置において、
前記番組情報の中から所望の番組を検索するために必要な検索条件を登録する検索条件登録手段と、
前記番組情報を取得する番組情報取得手段と、
新たに取得した番組情報と既存の番組情報とを比較して更新部分を抽出する更新情報抽出手段と、
前記更新部分に対して前記検索条件に基づく前記番組情報の検索を行う番組情報検索手段と、
該番組情報検索手段の検索によって、前記所望の番組が検索された場合に、当該検索結果を出力する検索結果出力手段とを備えたことを特徴とする番組情報受信装置。
【請求項２】
前記番組情報取得手段は、設定時刻に前記番組情報受信装置を作動させて新たな番組情報を取得することを特徴とする請求項１に記載された番組情報受信装置。
【請求項３】
前記検索条件及び前記検索結果が保存される不揮発性メモリを備えることを特徴とする請求項１又は２に記載された番組情報受信装置。
【請求項４】
前記検索結果出力手段の出力に基づいて検索結果をユーザに告知する検索結果告知手段を備えることを特徴とする請求項１〜３のいずれかに記載された番組情報受信装置。
【請求項５】
前記検索結果告知手段によって、前記番組情報受信装置の補助電源で駆動される表示手段の表示が点滅又は切り替えられることを特徴とする請求項４に記載された番組情報受信装置。
【請求項６】
前記検索結果告知手段によって、告知情報を送信する送信手段の制御がなされることを特徴とする請求項４又は５に記載された番組情報受信装置。
【請求項７】
放送番組の番組情報を受信する番組情報受信方法において、
番組情報の中から所望の番組を検索するために必要な検索条件が登録された後に、
設定された時刻に作動して前記番組情報を取得する手順と、
該手順で新たに取得した番組情報と既存の番組情報とを比較して更新部分を抽出する手順と、
前記更新部分に対して前記検索条件に基づく前記番組情報の検索を行う手順と、
前記検索によって、前記所望の番組が検索された場合に、当該検索結果を出力する手順と、
前記検索結果の出力に基づいて前記検索結果をユーザに告知する手順とを有することを特徴とする番組情報受信方法。
【請求項８】
放送番組の番組情報を受信する機能を有するコンピュータを、
前記番組情報の中から所望の番組を検索するために必要な検索条件を登録する検索条件登録手段、
前記番組情報を取得する番組情報取得手段、
新たに取得した番組情報と既存の番組情報とを比較して更新部分を抽出する更新情報抽出手段、
前記更新部分に対して前記検索条件に基づく前記番組情報の検索を行う番組情報検索手段、
該番組情報検索手段の検索によって、前記所望の番組が検索された場合に、当該検索結果を出力する検索結果出力手段、
として機能させることを特徴とする番組情報受信プログラム。
【発明の詳細な説明】
【技術分野】
【０００１】
本発明は、番組情報受信装置、番組情報受信方法、番組情報受信プログラムに関するものである。
【背景技術】
【０００２】
昨今、放送技術の発達に伴って、地上波（アナログ又はデジタル）、ＢＳ（Broadcasting Satellite；アナログ又はデジタル）、ＣＳ（Communication Satellite；アナログ又はデジタル）等の各種形態で様々な情報（コンテンツ或いは番組）が放送されており、これを直接又はインターネットやＣＡＴＶ（Cable Television）等の回線を経由して受信する受信装置が各種開発されている。ここで対象としている受信装置は、各種放送形態専用又は共用の受信装置、或いはコンピュータに組み込まれたプログラムによって機能する受信装置、テレビに内蔵又は一体化された受信装置等が含まれるものとする。
【０００３】
このような受信装置では、映像，音声，文字等からなる放送コンテンツの受信に加えて、或いは単独で、放送番組の番組情報（例えば、ＥＰＧ（Electronic Program Guide）と呼ばれるもの）を受信して活用する機能を有するものがある。
【０００４】
下記特許文献１には、デジタル放送を受信するデジタル放送受信装置に関する従来技術が記載されており、この従来技術は、ＥＰＧ表示機能、ＥＰＧの番組ジャンル情報を用いて、ユーザが入力したジャンルに対応するジャンル情報を有する番組を抽出するジャンル検索機能、受信して取り込んだＥＰＧの中にユーザが求めていた番組が存在する場合に、現在表示中の画面に割り込ませて表示するか、或いは電源投入時に画面に表示するようにして、装置側から能動的にメッセージを告知するメッセージ告知機能を有するものである。
【０００５】
このような従来技術によると、ユーザが観たい番組の情報を選択情報として受信装置側に与えておけば、その後は番組を視聴していればよく、選択情報に適う番組が検索されたところで、受信装置が能動的に視聴中の番組の画面に割り込んで告知してくれる。或いは、テレビをオンしたときに、選択情報に適う番組が検索されていれば、受信装置が能動的にテレビオン時の画面に検索の結果を表示して告知してくれる。これによって、ユーザは、受信装置が稼働さえしていれば、番組或いはジャンル検索機能の検索結果を自ら表示させる手間が省けるという利点が得られ、また、他番組の視聴中又は他番組を視聴するためにテレビの電源を入れた際に、検索結果を知ることができるという効果も得られる。
【０００６】
【特許文献１】特開２００３−９０３３号公報
【発明の開示】
【発明が解決しようとする課題】
【０００７】
一般に、放送番組の番組情報は、放送形態（地上波デジタル又はアナログ，ＢＳデジタル又はアナログ，ＣＳ等）またはチャンネル毎、且つ放送時間順に番組のタイトル等の情報を並べたものであるが、一つの情報単位が限られた期間（例えば８日間又は１ヶ月）内の情報しか持っておらず、これが通常数時間おきに更新されるようになっている。そして、受信装置側ではその都度一つの情報単位の番組情報を受信して取り込むような機能を備えている。
【０００８】
したがって、前述した従来技術によると、ユーザが観たい番組に関連する情報を受信装置側に与えた場合にも、受信装置は、現在受信して取り込まれている特定の期間内の番組情報に対してしか検索を実行することができず、現在受信装置に取り込まれている番組情報の中にユーザが観たい番組の情報が無い場合には、当然ながら受信装置は告知表示を行うことができない。
【０００９】
つまり、ユーザが観たい番組が将来送られて来るであろうことを予測して、これを見逃さないようにするためには、番組情報が更新される毎に受信装置を操作して、観たい番組の関連情報を受信装置に与えて番組検索を実行しなければならないことになる。実際上は、将来的にユーザが観たい番組が放送されるとは限らないし、また将来的な番組情報をユーザが把握することはできないので、ユーザ側からすると度々番組検索を実行させることは現実的には困難であり、将来的に放送される番組を含めた番組情報の監視は従来の受信装置では事実上不可能である。
【００１０】
また、従来技術では、受信装置が作動している場合或いは受信装置を作動させた場合に限って、ユーザに検索結果が告知されるので、ユーザは受信装置を作動させないと、観たい情報の検索結果を知ることができない。したがって、従来技術では、ユーザ側から観たい番組の検索結果を知りたい場合には、その都度受信装置を作動させる必要があり、操作が面倒であると共に省エネの観点からも好ましくないという問題があった。
【００１１】
本発明は、このような問題に対処することを課題の一例とするものである。すなわち、受信装置に取り込まれている番組情報だけでなく、将来に送られてくる番組情報を含めてユーザが観たい番組の監視を可能にすること、また、ユーザが観たい番組が見つかった場合に、効果的且つ経済的にユーザに対して告知することができること等が本発明の目的である。
【課題を解決するための手段】
【００１２】
このような目的を達成するために、本発明は、以下の各独立請求項に係る構成を少なくとも具備するものである。
【００１３】
［請求項１］放送番組の番組情報を受信する番組情報受信装置において、前記番組情報の中から所望の番組を検索するために必要な検索条件を登録する検索条件登録手段と、前記番組情報を取得する番組情報取得手段と、新たに取得した番組情報と既存の番組情報とを比較して更新部分を抽出する更新情報抽出手段と、前記更新部分に対して前記検索条件に基づく前記番組情報の検索を行う番組情報検索手段と、該番組情報検索手段の検索によって、前記所望の番組が検索された場合に、当該検索結果を出力する検索結果出力手段とを備えたことを特徴とする番組情報受信装置。
【００１４】
［請求項７］放送番組の番組情報を受信する番組情報受信方法において、番組情報の中から所望の番組を検索するために必要な検索条件が登録された後に、設定された時刻に作動して前記番組情報を取得する手順と、該手順で新たに取得した番組情報と既存の番組情報とを比較して更新部分を抽出する手順と、前記更新部分に対して前記検索条件に基づく前記番組情報の検索を行う手順と、前記検索によって、前記所望の番組が検索された場合に、当該検索結果を出力する手順と、前記検索結果の出力に基づいて前記検索結果をユーザに告知する手順とを有することを特徴とする番組情報受信方法。
【００１５】
［請求項８］放送番組の番組情報を受信する機能を有するコンピュータを、前記番組情報の中から所望の番組を検索するために必要な検索条件を登録する検索条件登録手段、前記番組情報を取得する番組情報取得手段、新たに取得した番組情報と既存の番組情報とを比較して更新部分を抽出する更新情報抽出手段、前記更新部分に対して前記検索条件に基づく前記番組情報の検索を行う番組情報検索手段、該番組情報検索手段の検索によって、前記所望の番組が検索された場合に、当該検索結果を出力する検索結果出力手段、として機能させることを特徴とする番組情報受信プログラム。
【発明を実施するための最良の形態】
【００１６】
以下、本発明の実施形態を図面を参照して説明する。図１は、本発明の一実施形態に係る番組情報受信装置の構成を示す説明図である。番組情報受信装置１は、制御部１０によって制御される（或いは、制御部１０にプログラムとして組み込まれる）検索条件登録部（検索条件登録手段）１１，番組情報取得部（番組情報取得手段）１２，更新情報抽出部（更新情報抽出手段）１３，番組情報検索部（番組情報検索手段）１４，検索結果出力部（検索結果出力手段）１５，検索結果告知部（検索結果告知手段）１６を備え、更には、必要に応じて、表示制御部１６Ａを備えるものであり、また、制御部１０は、作動管理部２０，記憶部２１，表示部２２（メイン表示部２２Ａ，サブ表示部２２Ｂ），送信部２３に接続されている。
【００１７】
ここで、検索条件登録部１１は放送番組の番組情報の中から所望の番組を検索するために必要な検索条件を登録する機能を有する。検索情報取得部１２は番組情報を取得する機能を有する。更新情報抽出部１３は新たに取得した番組情報と既存の番組情報とを比較して更新部分を抽出する機能を有する。番組情報検索部１４は前述の更新部分に対して検索条件に基づく番組情報の検索を行う機能を有する。検索結果出力部１５は、番組情報検索部１４の検索によって、所望の番組が検索された場合に、当該検索結果を出力する機能を有する。検索結果告知部１６は検索結果出力部１５の出力に基づいて検索結果をユーザに告知する機能を有する。
【００１８】
また、番組情報取得部１２の一形態としては、作動管理部２０によって設定時刻に番組情報受信装置１の作動がなされて、その際に新たな番組情報の取得が行われる。この際の番組情報受信装置１の作動は、更新された情報の取得に十分な一定時間継続されるものであってもよいし、取得が完了した時点で作動を停止するものであってもよい。
【００１９】
また、一形態としては、検索条件登録部１１によって登録された検索条件或いは検索結果出力部１６から出力される検索結果の情報が記憶部２１に送られ、記憶部２１の不揮発性メモリに保存される。
【００２０】
更には、検索結果告知部１６の一形態としては、表示部２２（メイン表示部２２Ａ）に検索結果を告知するようにしてもよいし、或いは、番組情報受信装置１の補助電源で駆動されるサブ表示部２２Ｂの表示を点滅又は切り替えるようにする表示制御部１６Ａを備えるものであってもよい。或いは、検索結果告知部１６の一形態としては、ユーザ所有の携帯情報端末（携帯電話等）等に告知情報を送信する送信部２４を制御するものであってもよい。
【００２１】
また、このような機能を有する番組情報受信装置１は、放送番組の画像，音声，文字等と共に或いは単独で番組情報を受信する専用の受信装置であってもよいし、テレビ等に内蔵された受信装置であってもよい。或いはコンピュータに前述した機能を持たせるプログラムをインストールしたものであってもよい。
【００２２】
このような実施形態の番組情報受信装置１の動作或いは番組情報受信装置１によって実行される番組情報受信方法（又は、番組情報受信プログラムの実行手順）の一例を、図１，２を参照しながら説明する。先ず、番組情報受信装置１の検索条件登録部１１に、番組情報の中から所望の番組を検索するために必要な検索条件が登録される（Ｓ１）。これは、ユーザの入力操作によって行われるか、或いは事前に登録された情報が自動で再登録されるようにすることもできる。登録された検索条件に係る情報は、記憶部２１の不揮発性メモリに保存される。
【００２３】
その後、番組情報取得部１２の機能によって、設定された時刻（一般にユーザが使用しない深夜等）に作動して番組情報の取得が行われる（Ｓ２）。この際には、作動管理部２０のタイマ機能等によって、設定時刻が確認されると共に（Ｓ２Ａ）、設定時刻になると番組情報受信装置１の作動状態の確認がなされる（Ｓ２Ｂ）。そして、番組情報受信装置１の作動がＯＮ状態の場合には番組情報の取得が行われ（Ｓ２）、番組情報受信装置１がＯＦＦの場合には、番組情報受信装置１の作動がなされて（Ｓ２Ｃ）、番組情報の取得（Ｓ２）が行われる。この際の番組情報受信装置１の作動は、更新された情報の取得に十分な一定時間継続されるものであってもよいし、取得が完了した時点で作動を停止するものであってもよい。番組情報の取得は一つの情報単位（所定期間分）の取得が終了するまで行われ（Ｓ２Ｄ）、終了すると、取得された一情報単位の番組情報は記憶部２１のメモリに保存され、次に更新情報の抽出（Ｓ３）が行われる。
【００２４】
更新情報の抽出（Ｓ３）は、更新情報抽出部１３の機能によって行われ、新たに取得した番組情報と既存の番組情報とを比較して更新部分が抽出される。なお、番組情報には、更新のバージョンを示す情報を付加するか、或いは当該番組情報の対象期間を示す情報を付加することができる。これらの情報を利用することにより、更新がない場合には、後述の検索を省略することもできる。
【００２５】
次に、番組情報検索部１４の機能によって、抽出された更新部分に対して検索条件登録部１１によって登録された検索条件に基づく番組情報の検索が行われる（Ｓ４）。ここでいう検索条件は、番組タイトル，番組のジャンル，出演者，番組説明等、番組情報が有する番組の関連情報を対象にした条件であって、番組情報の更新部分の中にこの検索条件に該当する番組が有るか否かが検索される（Ｓ４Ａ）。
【００２６】
ここで、該当する番組が無かった場合には、装置の作動をＯＦＦさせて設定時刻の待機状態に戻る。また、該当する番組が一つでも有った場合には、検索結果出力部１５の機能によって検索結果の出力がなされ（Ｓ５）、同時にこの検索結果が記憶部２１の不揮発性メモリに保存される。
【００２７】
そして、検索結果が出力されると、検索結果告知部１６の機能によって、その出力に基づく検索結果をユーザに告知する（Ｓ６）。告知の手段としは各種の形態が採用可能であるが、前述したように、表示制御部１６Ａの機能によって、番組情報受信装置１の補助電源で駆動されるサブ表示部２２Ｂ（例えば時刻表示等）の表示を点滅させる或いは切り替える等が可能であり、また、送信部２３を制御して、ユーザの携帯情報端末等にメール等で告知情報を送信することも可能である。その後は、番組情報受信装置１をＯＦＦにして、一つの検索条件登録（Ｓ１）に関する一連の動作を終了する。
【００２８】
この際に、登録された検索条件と検索結果の情報は記憶部２１の不揮発性メモリに保存されているので、装置の電源がＯＦＦになっても記憶内容は保持さている。したがって、この情報を利用して、従来技術と同様にテレビの電源ＯＮ時にテレビ画面に検索結果情報を表示するか或いは、ユーザ視聴中に検索結果を割り込み表示する等の告知を行うことも可能である。
【００２９】
このような特徴を有する番組情報受信装置１（或いは番組情報受信プログラム）又は番組情報受信方法によると、現在受信して取り込まれている番組情報の中に登録された検索条件に該当する番組が無かった場合にも、将来取り込まれる番組情報に対して引き続き検索条件に基づく番組の監視を行うことが可能になる。したがって、ユーザは長期に亘って観たい番組の監視が可能になり、所望の番組の見逃しをできる限り防ぐことができる。
【００３０】
また、登録された検索条件に該当する番組が存在する場合には、番組情報受信装置１が非作動の場合にもユーザに告知されることになるので、ユーザは一々検索結果を知るために番組情報受信装置１を作動させる必要が無く、面倒な操作無しに観たい番組の有無を知ることができる。更には、視聴時以外に装置を作動させることがないので、消費電力を余計に費やさず経済的でもある。
【実施例】
【００３１】
以下に、本発明の更に具体的な実施例を説明する。ここでは、番組情報受信機能を有するデジタル放送受信装置を例にして説明するが、本発明は、特にこれに限定されるものではない。実施例に係るデジタル放送受信装置１Ａは、図３に示す基本構成を有しており、以下に示す構成要素がバスＢを介して相互に情報伝達可能に接続されている（前述した実施形態の説明と共通する要素は同一符号を付して一部説明を省略する）。
【００３２】
チューナ部３０は、衛星又は地上波アンテナ２又はケーブルを介して受信したデジタル放送ＲＦ信号に対して、所望のＲＦチャンネルを選局する機能を有する。
【００３３】
復調部３１は、チューナ部３０で選局されたＲＦチャンネルのデジタル変調波を復調して、ＭＰＥＧ２トランスポートストリームを出力する機能を有する。
【００３４】
ＭＰＥＧ２トランスポートデマルチプレクサ（ＤＥＭＵＸ）３２は、ＭＰＥＧ２トランスポートストリームを、ビデオストリーム，オーディオストリーム，ＳＩ／ＰＳＩに分離する。そして、ビデオストリームとオーディオストリームはＭＰＥＧ２ＡＶデコーダに送られ、ＳＩ／ＰＳＩは制御部１０に送られる。
【００３５】
ＭＰＥＧ２ＡＶデコーダ３３は、ビデオストリームに対してデコードを行うビデオデコーダとオーディオストリームに対してデコードを行うオーディオデコーダを備える。ここでは、ビデオストリームに対してＯＳＤ（On Screen Display）を重畳する機能も有する。
【００３６】
ビデオ処理部３４はＭＰＥＧ２ＡＶデコーダ３３から映像データを受け取り、Ｄ／Ａ変換を行って映像信号を生成する。オーディオ処理部３５はＭＰＥＧ２ＡＶデコーダ３３から音声データを受け取り、Ｄ／Ａ変換を行って、右音のアナログ信号，左音のアナログ信号等を生成する。
【００３７】
作動管理部２０は、前述したとおり、タイマ機能等を有してデジタル放送受信装置１Ａの作動を管理するものである。
【００３８】
制御部１０はＣＰＵ等からなり、前述したとおり、検索条件登録部１１，番組情報取得部１２，更新情報抽出部１３，番組情報検索部１４，検索結果出力部１５，検索結果告知部１６等からなる番組情報受信機能を有すると共に、前述したデジタル放送受信装置１Ａの構成要素を制御するものである。
【００３９】
記憶部２１は、少なくともＲＡＭメモリ２１Ａと不揮発性メモリ２１Ｂとを備え、ＲＡＭメモリ２１Ａは制御部１０が使用する一時的なワーク或いは取得した番組情報等を格納しておく記憶手段であり、不揮発性メモリ２１Ｂは、前述した検索条件或いは検索結果の情報等を格納しておく記憶手段である。
【００４０】
ＩＣカードインターフェイス３６は、有料番組等のスクランブルがかけられた番組を契約により視聴可能にするために使用するＩＣカードを受け付けるインターフェイスである。
【００４１】
送信部２３は、例えばモデム２３Ａとネットワーク接続部２３Ｂからなり、前述した検索結果告知部１６の機能によってユーザに告知情報を送信する機能を担うと共に、受信管理情報の送受信やインターネットとの接続を行う機能を有する。
【００４２】
表示部２２は、デジタル放送受信装置１Ａの本体に設けられる表示部であって、ＬＥＤランプや液晶パネル等によって構成されるものである。前述したように、メイン表示部２２Ａと補助電源で駆動されるサブ表示部２２Ｂを設けることができる。
【００４３】
ここで、前述の表示部２２以外は、デジタル放送受信装置１Ａの待機状態で全ての電源を落とすことができるものであり、この作動が作動管理部２０のタイマ機能で管理されている。
【００４４】
このような基本構成を有するデジタル放送受信装置１Ａの番組情報受信機能について、ユーザの操作又は動作フローを動作条件毎に説明する。以下、番組情報をＥＰＧデータと称することにする。
【００４５】
［装置作動中の場合］図４は、デジタル放送受信装置１Ａが作動中に、ユーザが検索条件を入力する場合の操作又は動作フローを示したものである。
【００４６】
ユーザの入力操作として、テレビ画面に表示されるＯＳＤユーザインターフェイスにより、ユーザが所望する番組のジャンル（映画，音楽等）や、番組タイトル、出演者等が検索条件として入力されると（Ｓ１０）、不揮発性メモリに保存しておいたデータを予めＲＡＭメモリに取り込んでおいたＥＰＧデータや作動中にＲＡＭメモリに取り込んだＥＰＧデータにおける既存のデータを対象にして、番組情報検索部１４の機能による番組検索が実行される（Ｓ１１）。
【００４７】
これによって、該当番組が有る場合には（Ｓ１２）、検索結果出力部１５及び検索結果告知部１６の機能により、この段階で検索結果をＯＳＤによってテレビ画面に表示させる。その後、検索結果は不揮発性メモリ２１Ｂに保存される。一方、該当番組が無い場合には、入力された検索条件が不揮発性メモリ２１Ｂに保存され、一連の検索動作は終了する。
【００４８】
［装置非作動中の場合］図５は、デジタル放送受信装置１Ａが非作動中の動作、すなわち、ユーザがデジタル放送受信装置１Ａを使用していない場合の動作を示すフローである。
【００４９】
ユーザがデジタル放送受信装置１Ａを使用していない場合には、作動管理部２０のタイマ機能によって自動的にデジタル放送受信装置１Ａが起動する（Ｓ２０）。タイマの設定時刻は、深夜などのユーザが通常使用しない時間帯が選択される。
【００５０】
タイマ起動によってデジタル放送受信装置１Ａが作動されると、受信した情報からＥＰＧデータが抽出され、新たなＥＰＧデータがＲＡＭメモリに取り込まれる（Ｓ２１）。そして、更新情報抽出部１３の機能によって、ＲＡＭ内の新たなＥＰＧデータと不揮発性メモリ２１Ｂに保存されている既存のＥＰＧデータの比較がなされ（Ｓ２２）、更新されているＥＰＧデータの抽出がなされる（Ｓ２３）。
【００５１】
そして、番組情報検索部１４の機能によって、更新されているＥＰＧデータに対して不揮発性メモリに保存されている検索条件で検索が実行される（Ｓ２４）。検索の結果、該当番組が存在する場合には、検索結果出力部１５及び検索結果告知部１６の機能によって、メール送信或いは表示部２２の表示切り替え等の手段でユーザに告知がなされる（Ｓ２５）。そして、その検索結果を不揮発性メモリ２１Ｂに保存して（Ｓ２６）、タイマ機能の再セットを行い（Ｓ２７）、デジタル放送受信装置１Ａの電源をＯＦＦにした後（Ｓ２８）、待機状態に戻る。一方、該当番組が無い場合には、そのままタイマ機能の再セットを行い（Ｓ２７）、電源をＯＦＦにした後（Ｓ２８）、待機状態に戻る。
【００５２】
［装置作動時の場合］図６は、検索結果の告知を受けたユーザがデジタル放送受信装置１Ａの電源をＯＮにした場合の動作フローを示すものである。前述した検索結果の告知によって、所望の番組が見つかったことを知ったユーザがデジタル放送受信装置１Ａの電源をＯＮにすると（Ｓ３０）、画面表示によって、検索結果の表示がなされる。例えば、ＯＳＤユーザインターフェイスやリモコンの操作により、検索結果を不揮発性メモリ２１Ｂから読み出して表示する。
【００５３】
この際に行われる画面表示の例を図７に示す。一例としては、ユーザがデジタル放送受信装置１Ａ及びテレビの電源をＯＮして、リモコンの「ＥＰＧ」スイッチを押した場合に、図７（ａ）に示すような選択画面が表示される。そして、リモコンの選択操作によって、ａの「検索された番組の番組表」を選択すると、同図（ｂ）に示すような「番組表」画面が表示され、検索結果としてヒットした番組が反転又は強調表示された状態で示される。また、同図（ａ）で、ｂの「検索された番組の一覧表示」が選択された場合には、同図（ｃ）に示すような「検索番組一覧」の画面が表示される。
【００５４】
そして、このような表示画面に従って、番組の予約操作を行うことができる。番組の予約操作が行われた場合には、予約番組の開始時刻，時間，チャンネル等の予約事項を不揮発性メモリ２１Ｂに保存し、開始時刻をタイマにセットする予約設定がなされる（Ｓ３３）。
【００５５】
このような実施例によると、デジタル放送受信装置１Ａに検索条件を登録しておけば、デジタル放送受信装置１Ａを使用しておらず、待機状態のままであっても、番組検索を自動で行って検索結果を保存すると共に、ユーザへの告知がなされる。これによって、ユーザは観たい番組が番組情報に存在することを、装置の電源を入れることなく知ることが可能になり、操作の面倒が無くなると共に、省エネの観点からも有効である。
【００５６】
更には、現在のデジタル放送受信装置１Ａに取り込まれているＥＰＧに観たい番組が存在しない場合でも、将来取り込まれるＥＰＧに対して観たい番組の監視を継続することが可能になる。これによって、長期に亘って観たい番組の監視が可能になり、所望の番組の放送予定を効果的に知ることができる。
【図面の簡単な説明】
【００５７】
【図１】本発明の一実施形態に係る番組情報受信装置の構成を示す説明図である。
【図２】本発明の実施形態に係る番組情報受信方法の例を示す説明図である。
【図３】本発明の実施例を説明する説明図である。
【図４】実施例の操作又は動作フロー示す説明図である。
【図５】実施例の操作又は動作フロー示す説明図である。
【図６】実施例の操作又は動作フロー示す説明図である。
【図７】実施例の検索結果表示画面の例を示した説明図である。
【符号の説明】
【００５８】
１    番組情報受信装置
１Ａ    デジタル放送受信装置
２    アンテナ
１１    検索条件登録部
１２    番組情報取得部
１３    更新情報抽出部
１４    番組情報検索部
１５    検索結果出力部
１６    検索結果告知部
１６Ａ    表示情報部
２０    作動管理部
２１    記憶部
２２    表示部
２２Ａ    メイン表示部
２２Ｂ    サブ表示部
２３    送信部
【図１】
2005286976.tif 000003
【図２】
2005286976.tif 000004
【図３】
2005286976.tif 000005
【図４】
2005286976.tif 000006
【図５】
2005286976.tif 000007
【図６】
2005286976.tif 000008
【図７】
2005286976.tif 000009